(57)【要約】【課題】安全かつ容易・確実に摘便作業が遂行可能な摘便用手袋と摘便用指サック及びそれらを用いた摘便方法を提供することを目的とする。【解決手段】薄手のビニール等の可撓性部材または軟質ゴム等の弾性部材で形成された摘便用手袋であって、人差し指の指先に対応する部位に、人差し指を延長するように設けられた便掻き出し部を備えるか、または、中指の指先に対応する部位に、中指を延長するように設けられた便掻き出し部を備える摘便用手袋とする。【選択図】図１
2018178283.tif 000002
【特許請求の範囲】
【請求項１】
可撓性部材または弾性部材で形成された摘便用手袋であって、
人差し指の指先に対応する部位に、前記人差し指を延長するように設けられた便掻き出し部を備えるか、または中指の指先に対応する部位に、前記中指を延長するように設けられた便掻き出し部を備える
ことを特徴とする摘便用手袋。
【請求項２】
請求項１に記載の摘便用手袋において、
前記便掻き出し部は、前記摘便用手袋を装着した場合に、手のひら側が凹となるように湾曲形状を呈する
ことを特徴とする摘便用手袋。
【請求項３】
請求項１または請求項２に記載の摘便用手袋において、
前記便掻き出し部は、その表面の少なくとも一部に便掻き出し用突起を備える
ことを特徴とする摘便用手袋。
【請求項４】
請求項３に記載の摘便用手袋において、
前記便掻き出し用突起は、便掻き出し動作の際に便の掻き出しを支援するように、掻き出し側が凹状の湾曲形状を呈する
ことを特徴とする摘便用手袋。
【請求項５】
請求項１乃至請求項４のいずれか一項に記載の摘便用手袋において、
前記便掻き出し部は、少なくともその一部がシリコン樹脂またはテフロン樹脂で形成される
ことを特徴とする摘便用手袋。
【請求項６】
可撓性部材または弾性部材で形成された摘便用指サックであって、
指先に対応する部位に、前記指先を延長するように設けられた便掻き出し部を備える
ことを特徴とする摘便用指サック。
【請求項７】
請求項６に記載の摘便用指サックにおいて、
前記便掻き出し部は、前記摘便用指サックを装着した場合に、手のひら側が凹となるように湾曲形状を呈する
ことを特徴とする摘便用指サック。
【請求項８】
請求項６または請求項７に記載の摘便用指サックにおいて、
前記便掻き出し部は、その表面の少なくとも一部に便掻き出し用突起を備える
ことを特徴とする摘便用指サック。
【請求項９】
請求項８に記載の摘便用指サックにおいて、
前記便掻き出し用突起は、便掻き出し動作の際に便の掻き出しを支援するように、掻き出し側が凹状の湾曲形状を呈する
ことを特徴とする摘便用指サック。
【請求項１０】
請求項６乃至請求項９のいずれか一項に記載の摘便用指サックにおいて、
前記便掻き出し部は、少なくともその一部がシリコン樹脂またはテフロン樹脂で形成される
ことを特徴とする摘便用指サック。
【請求項１１】
請求項１乃至請求項５のいずれか一項に記載の摘便用手袋、または、請求項６乃至請求項１０のいずれか一項に記載の摘便用指サックを用いて、被摘便者に摘便作業を遂行する工程を有する
ことを特徴とする摘便方法。
【発明の詳細な説明】
【技術分野】
【０００１】
本発明は、摘便用手袋と摘便用指サック及びそれらを用いた摘便方法に関する。
【背景技術】
【０００２】
現在、特に日本では著しい高齢化が進んでいる。老齢になるに伴い、生理機能が衰え、弛緩性便秘になる老人が増えてくる。大腸などの平滑筋の力が弱まり、糞便となるべき消化管内の内容物が肛門へと順調に送られずに停滞することにその一因がある。また、内容物に含まれる水分が大腸壁から吸収され、便が固くなってしまう事もその原因とされている。
【０００３】
数日間排便が行われない場合には大腸にガス等が溜まることにより、腹痛を生じ、それにより初めて便秘に気が付くケースも生じる。便秘の状態に陥った老齢者の苦しさは、文言では表現できない程であると言われており、より適切な処置と対応とが求められている。
【０００４】
便秘に対しては一般的には浣腸が行われることが多いが、一方で、浣腸を行ったとしても必ずしも順調に排便が行われ、便秘が解消されるとは限らない。仮に、浣腸のみでは便秘を解消できない場合には、肛門から指を挿入して固くなった便を掻き出す摘便を行う必要が生じる。
【０００５】
多くの老人を収容する介護施設等では、介護者がこの摘便を行うことは日常茶飯事であると言われており、いたる所でほぼ毎日のように行われているのが実情である。また、高齢者のみならず、若年者においても食事内容の西洋化に伴う食物繊維の摂取量の低下等により、便秘を呈する者は多く、摘便を受けなければならない事態に至ることも懸念される。
【０００６】
このような指の挿入による摘便作業は医療に長年たずさわる者であっても、現実に行うには精神的・物理的に相当な困難を伴う。要介護者や患者等は、指などの固い物を肛門から差し入れられると痛みを感じる場合も多い。また、指を曲げて便塊を引っ掛けるようにしながらその便塊および指が肛門通過する時には、通常よりも断面積の大きい物が狭い肛門を通過することとなり更なる痛みを感じる場合もある。
【０００７】
また、摘便を行う看護者にとって手袋を装着した指で便塊を引っ掛け掻き出す作業は、便塊の表面が滑るため容易ではない。時には、便塊に指が触れた際に便塊を奥へと押しやってしまう懸念もある。更に便塊を引っ掛けるため指を奥のほうへ挿入する場合には、硬い指が肛門を傷付けてしまい出血する懸念もある。
【０００８】
下記特許文献１には、患者の苦痛が少なく、摘便の際の困難な操作を必要とせず、かつ従来の方法に比べて清潔さを保ち、確実に摘便を行うことのできる摘便器を提供することを目的とする発明が開示されている。この文献によれば、液体および／または気体を収容する収容部と、収容部に連設され、収容部の収縮により先端付近に液体および／または気体を噴出する噴出孔を有する弾性変形可能な中空の長尺状挿入部と、噴出孔から噴出された液体および／または気体により膨張する膨張部とを有する摘便器とすることが記載されている。
【先行技術文献】
【特許文献】
【０００９】
【特許文献１】特開２００６−２０４９００号公報
【発明の概要】
【発明が解決しようとする課題】
【００１０】
しかし、従来知られている摘便器は、病院に据え置き設置される医療器具とも言えるような比較的大掛かりな構成であって、ボンベの設置や電源の確保や液体の確保等の準備作業や特定の作業環境が必要であった。しかしこれでは、任意の患者や要介護者の要求に応じて、適宜に、任意の場所でその場対応することは困難であった。また、浣腸や座薬、塗り薬等を使用できないような患者も存在する。便詰まりによる腹痛は、予期せずに突然に襲ってくる場合もあるため、このような場合には、適切にその場で摘便作業を遂行できることが好ましい。
【００１１】
本発明は上述の問題点に鑑み為されたものであり、安全かつ容易・確実に摘便作業が遂行可能な摘便用手袋と摘便用指サック及びそれらを用いた摘便方法を提供することを目的とする。
【課題を解決するための手段】
【００１２】
本発明の摘便用手袋は、可撓性部材または弾性部材で形成された摘便用手袋であって、人差し指の指先に対応する部位に、人差し指を延長するように設けられた便掻き出し部を備えるか、または中指の指先に対応する部位に、中指を延長するように設けられた便掻き出し部を備えることを特徴とする。  
【００１３】
また、本発明の摘便用指サックは、可撓性部材または弾性部材で形成された摘便用指サックであって、指先に対応する部位に、前記指先を延長するように設けられた便掻き出し部を備えることを特徴とする。
【００１４】
また、本発明の摘便方法は、上述の摘便用手袋、または、上述の摘便用指サックを用いて、被摘便者に摘便作業を遂行する工程を有することを特徴とする。
【発明の効果】
【００１５】
安全かつ容易・確実に摘便作業が遂行可能な摘便用手袋と摘便用指サック及びそれらを用いた摘便方法を提供できる。
【図面の簡単な説明】
【００１６】
【図１】（ａ）は、本発明の摘便用手袋を装着した右手を手の甲側から観察した状態を説明する概念図であり、（ｂ）は、本発明の摘便用手袋を装着した右手を親指側から観察した状態を説明する概念図である。
【図２】便掻き出し部のバリエーションを説明する図であり、（ａ）がスプーン形状のような凹状形状を呈する便掻き出し部を説明する概念図であり、（ｂ）が便掻き出し部の表面に便を絡め取るための突起を備える構成を説明する図であり、（ｃ）が便を絡め取るための突起がより絡め取り容易とする湾曲形状の構成を採用する場合について説明する概念図である。
【図３】本発明の摘便用指サックについて説明する概念図であり、（ａ）が本発明の摘便用指サックを装着した右手を手の甲側から観察した状態を説明する図であり、（ｂ）が、本発明の摘便用指サックを装着した右手を親指側から観察した状態を説明する側面図であり、（ｃ）が、形状バリエーションの一例として摘便用指サックを説明する概念図である。
【図４】（ａ）が便掻き出し部の表面に便を絡め取るための他の突起を備える構成を説明する図であり、（ｂ）が便を絡め取るための他の突起がより絡め取り容易とする湾曲形状の構成を採用する場合について説明する概念図である。
【発明を実施するための形態】
【００１７】
本発明の摘便用手袋等は、患者等の肛門内に指を挿入して強制的に便を掻き出して排出させることを支援する手袋等である。通常の医療用ゴム手袋等では、その指先は比較的つるつるして滑るように低抵抗に形成されている。これは、種々の医療作業等を遂行する上では好ましいものであるが、しかし一方で、便を掻き出すとの観点からすれば、便が指先から滑り落ちてしまって掻き出しにくいとの問題点を有する。
【００１８】
比較的狭い肛門内という限られたスペース内で、腸壁を傷めず、かつ患者への負担を可能な限り軽減してスムースかつ短時間で便掻き出し作業を遂行できるという極めて高度かつ困難な課題が存在する。
【００１９】
本発明の摘便用手袋等を用いれば、熟練作業者でなくても、患者の腸内壁を傷めることなく、比較的容易にかつ安全に、便掻き出し動作を遂行することが可能となる。また、指の長さや太さを含む指の大きさは、男性や女性及び年齢や体格等作業者によってはまちまちであるところ、本発明の摘便用手袋等を使用すれば、ある程度の一定の患者に優しい掻き出し作業とすることが可能である。
【００２０】
そこで、本発明の摘便用手袋等について図面に基づいてより詳細に以下に説明する。図１（ａ）は、本発明の摘便用手袋１０００を装着した右手１０２０を手の甲側から観察した状態を説明する概念図であり、図１（ｂ）は、本発明の摘便用手袋１０００を装着した右手１０２０を親指側から観察した状態を説明する概念図である。図１に示すように、摘便用手袋１０００には、人差し指の先端部を延長するように、便掻き出し部１０１０が設けられている。
【００２１】
便掻き出し部１０１０は、摘便用手袋１０００と同一の素材で構成されることもできるし、異なる素材で構成されることもできるが、摘便用手袋１０００と一体的に構成されるものである。また、便掻き出し部１０１０は、従来人差し指で掻き出していたものを代替して掻き出す部位となるものであって、可撓性または弾性を有するフレキシブルな特性素材で形成されることが好ましい。
【００２２】
このような便掻き出し部１０１０のフレキシブル特性は、腸内壁と擦れ合ったり当接した場合でも、腸内壁を損傷させない程度の特性とされることができる。例えば、従来、人差し指で直接掻き取っていた場合には、誤って腸内壁を指で強く押圧したりすればこれを損傷させる懸念も生じるものであったが、本発明の便掻き出し部１０１０で掻き出すようにすれば、このような損傷を低減できるものとなる。
【００２３】
また、便掻き出し部１０１０は、シリコン樹脂などで構成された、ちょうど人差し指の第一関節から先に相当する程度の太さ及び長さとすることができる。また、便掻き出し部１０１０の人差し指先と当接する内面は、当該指先を覆うようにフィットする形状とすることができる。
【００２４】
これにより、肛門内で便を掻き出す際に、便掻き出し部１０１０は適度な形状を維持されるような機能を発揮することが可能となる。例えば、便掻き出し部１０１０の人差し指先と当接する内面が、当該指先を覆うようにフィットせずに、点で指先と接触するような場合には、掻き出し作業時に、便掻き出し部１０１０が指先で曲折してしまう懸念もあるが、このような懸念を低減できる。また、比較的指が短い作業者であっても、便掻き出し部１０１０に相当する長さだけ届く範囲が広がるものとなる。
【００２５】
上述のように、図１に示す便掻き出し部１０１０は、全体としても局所的にも、肛門内の腸内壁を損傷しない程度にフレキシブル特性を有する一方で、便の掻き出し作業がスムースかつ確実に遂行できる程度の適度な硬度や形状維持強度特性を備えるものとする。すなわち、あまりに固すぎで強度はあるがこれにより腸内壁を損傷させてしまうものでは困るが、便を掻き出すのに必要かつ十分な程度の形状維持強度特性は必要ということである。便掻き出し部１０１０を肛門内に挿入して便を掻き出す際に、便掻き出し部１０１０が便圧に敗けて容易に曲折してしまって肛門に挿入困難となるようでも好ましくない。
【００２６】
図２は便掻き出し部１０１０のバリエーションを説明する図であり、図２（ａ）がスプーン形状のような凹状形状を呈する便掻き出し部１０１０（２）を説明する概念図である。また、図２（ｂ）が便掻き出し部１０１０の表面に便を絡め取るための突起１０１１を備える構成を説明する図であり、図２（ｃ）が便を絡め取るための突起１０１１がより絡め取り容易とする湾曲形状の構成を採用する場合について説明する概念図である。
【００２７】
図２（ａ）に示すように手の平側に凹形状となるような形態の便掻き出し部１０１０（２）とすることにより、当該凹形状の部分で便を保持して肛門内から掻き出すことが可能となるので、より確実かつスムース・迅速な掻き出し作業が可能となる。なお、図２（ａ）においては、便掻き出し部１０１０の手の甲側がやや凸状となっているが当該部位はむしろ平らであってもよい。
【００２８】
さらに、図２（ｂ）に示すように、便掻き出し部１０１０の表面の一部または全部に、小さな突起１０１１を複数備えるものとできる。複数の突起１０１１が、短く刈り込んだ芝生のように、便掻き出し部１０１０の表面に突設されるものとしてもよい。突起１０１１は、長さが０．３ｍｍ程度以下程度の短いものとしてもその絡め取り効果は大きい。また、突起１０１１は、図２（ｃ）に示すように少し湾曲した形状を呈することにより、掻き出し方向に手指を動作させた場合に、便がより保持され易くなるので好ましい。
【００２９】
なお、突起１０１１は、図２に示すものに限定されるものではなく、図面には示していないが便掻き出し部１０１０の周りを指輪リング状に取り囲む形状としてもよく、その他の任意形状としてもよい。また、突起１０１１とともに、または突起１０１１に替えて便掻き出し部１０１０の表面の一部または全部に、ディンプルを設けてもよい。また、突起１０１１に替えて便掻き出し部１０１０の表面の一部または全部に、小さな複数のリング状の凹部を設けてもよい。
【００３０】
例えば、図４に示すような形状としても良い。図４（ａ）は、便掻き出し部の表面に便を絡め取るための他の突起を備える構成を説明する図であり、図４（ｂ）は、便を絡め取るための他の突起がより絡め取り容易とする湾曲形状の構成を採用する場合について説明する概念図である。図４（ａ）に示す他の突起１０１１（２）は、ヒゲ状のものではなく個々がイボ状の形態を有する。これにより、イボ状の突起突起１０１１（２）の部分で、便の摩擦係数を増大させて便を絡めとることが可能となる。また、図４（ｂ）に示すように、個々のイボ形状について、便取り出し方向の側の少なくとも一部が凹になるように湾曲した形状を有していることがさらに好ましい。これにより、当該凹部分において便の取得・保持機能が増大するので摘便作用がより容易に行えるものとなる。
【００３１】
また、図３は、本発明の摘便用指サック３０００について説明する概念図であり、図３（ａ）が本発明の摘便用指サック３０００を装着した右手を手の甲側から観察した状態を説明する図である。また、図３（ｂ）が、本発明の摘便用指サック３０００を装着した右手を親指側から観察した状態を説明する側面図である。また、図３（ｃ）が、形状バリエーションの一例として摘便用指サック３０００を説明する概念図である。
【００３２】
図３に示すように、作業者の利き手１０２０の指先の人差し指または中指等に摘便用指サック３０００を装着した状態で、摘便作業を遂行することができる。図３（ｃ）に示す摘便用指サック３０００の便掻き出し部３０１０（２）は、図３（ａ）、図３（ｂ）に示す便掻き出し部３０１０と異なる形状を呈している。
【００３３】
図３（ｃ）に示す手の平側に凹形状となるような形態の便掻き出し部３０１０（２）とすることにより、当該凹形状の部分で便を保持して肛門内から掻き出すことが可能となるので、より確実かつスムース・迅速な掻き出し作業が可能となる。また、便掻き出し部３０１０，３０１０（２）は、図１、図２に示した便掻き出し部１０１０，１０１０（２）と同様に突起状物やディンプルを備えることも可能であり、同様の形態バリエーションを採用し得るのでここでは説明を省略する。
【００３４】
本発明の摘便用手袋は、可撓性部材または弾性部材で形成された摘便用手袋であって、人差し指の指先に対応する部位に、人差し指を延長するように設けられた便掻き出し部を備えるか、または中指の指先に対応する部位に、中指を延長するように設けられた便掻き出し部を備えることを特徴とする。
【００３５】
この摘便用手袋は、好ましくは薄手の軟質ゴムや軟質プラスチックや可撓性ビニールやシリコン樹脂及びテフロン（登録商標）等の各種フレキシブル素材で形成された使い捨て手袋である。化学系の実験や医療現場等で汎用されている使い捨て手袋の素材を用いて構成することが可能である。
【００３６】
摘便用手袋を装着した状態で人差し指を覆う手袋の指先先端部には、指を延長する方向に当該手袋素材等で構成された突起物たる便掻き出し部を備えている。便掻き出し部は、摘便対象者の肛門内に挿入されるため、人体への影響がより少なくより安全な、手袋本体とは異なる素材で構成してもよい。
【００３７】
便掻き出し部は、人差し指先端とほぼ同等かやや細い幅で構成されることが好ましい。固すぎれば肛門内内壁を損傷する懸念もあることから、内壁を損傷させない程度の適度な柔らかさ、フレキシブル特性を有することが求められる。長さは指先から好ましくは３ｃｍ程度以内とすることが好ましい。
【００３８】
長すぎれば作業中に肛門内で曲折したり挿入作業が困難になったり、先端部の状況を把握しづらくなったりする等、作業性・安全性が悪化する懸念がある一方、短かすぎれば、必要かつ十分な便を掻き出せなくなる懸念が生じることから、素材特性との関係もあるが、１〜３ｃｍ程度とすることが好ましいと考えられる。
【００３９】
また、人差し指に替えてまたは人差し指とともに中指に対応する先端部位に便掻き出し部を備えてもよい。また手袋は右手用、左手用いずれかであってもよく両方であってもよい。作業者の利き手側の手袋を、本発明の摘便用手袋とすることがより的確な作業の観点から好ましい。
【００４０】
人差し指であっても中指であっても第一関節から先の長さは限られていることから、仮に第一関節で適宜折り曲げて肛門内の便の掻き出し作業をしたとしても、従来、指先にうまく引っかかる便量はそれほど多くはない。本発明により、指先の第一関節から先があたかも延長されたかのような手袋装着状態とできるので、さらに奥の便や内壁付近の便も掻き出し容易となる。
【００４１】
また、本発明の摘便用手袋は、好ましくは便掻き出し部が、摘便用手袋を装着した場合に、手のひら側が凹となるように湾曲形状を呈することを特徴とする。
【００４２】
これにより、当該凹部に便を引っかけて保持するように掻き出すことが可能となるので、より適切かつ安全な摘便作業を遂行できるものとなる。凹部は一つであってもよいし、やや小型のもの等を複数備えるものとしてもよい。大きさも任意の大きさとしてよく、凹部形状も適宜任意形状に構成してよい。しかし、指幅程度かそれよりやや小さい幅程度の便掻き出し部であることに鑑みれば、通常の便との関係上、一つの凹を備えるものとしスプーンまたは耳かきのような凹形状とすることが好ましい。
【００４３】
また、本発明の摘便用手袋は、さらに好ましくは便掻き出し部が、その表面の少なくとも一部に便掻き出し用突起を備えることを特徴とする。
【００４４】
これにより、掻き出し用突起で絡め取るように便を掻き出すことが可能となるのでさらに確実かつ容易な掻き出し作業が可能となる。掻き出し用突起は、便掻き出し部に任意角度で凸設された短い棒状のものとしても良いし、便掻き出し部の周りを一周する円盤状（リング状またはドーナツ状）の形状としても良く、その個数も任意である。突起高さが高すぎると肛門内内壁を損傷する懸念があることから、便掻き出し部表面の摩擦抵抗を大きくする程度であればさらに好ましく、例えば０．３ｍｍ程度以下の高さとすることができる。
【００４５】
また、本発明の摘便用手袋は、さらに好ましくは便掻き出し用突起が、便掻き出し動作の際に便の掻き出しを支援するように、掻き出し側が凹状の湾曲形状を呈することを特徴とする。
【００４６】
これにより、便掻き出し用突起の当該凹状部分に、便を引っかけて保持するように掻き出すことが可能となるので、より適切かつ安全な摘便作業を遂行できるものとなる。凹状部分は一つであってもよいし、ディンプル加工のように、やや小型のもの等を複数備えるものとしてもよい。大きさも任意の大きさとしてよく、凹部形状も適宜任意形状に構成してよい。例えば、スプーンまたは耳かきのように便を掻き出し容易とする凹形状とすることが好ましい。また、便掻き出し部が備える湾曲形状ではやや大きめの便を捕獲し、便掻き出し用突起の当該凹状部分ではやや小さめの便を捕獲できるようにしてもよい。
【００４７】
また、本発明の摘便用手袋は、さらに好ましくは便掻き出し部または便掻き出し用突起が、シリコン樹脂またはテフロン樹脂で形成されることを特徴とする。シリコン樹脂または／およびテフロン樹脂は、人体への影響が比較的少なく、かつ安全な素材であることが広く認識されており、手術現場を含めた医療現場等においても広く利用されている。このような素材を用いた便掻き出し部または便掻き出し用突起とすることにより、安全かつ適切な摘便作業を遂行可能となり、作業性が向上するとともに作業者へ安心感も付与できる。
【００４８】
本発明の摘便用指サックは、可撓性部材または弾性部材で形成された摘便用指サックであって、指先に対応する部位に、指先を延長するように設けられた便掻き出し部を備えることを特徴とする。
【００４９】
この摘便用指サックは、好ましくは薄手の軟質ゴムや軟質プラスチックや可撓性ビニールやシリコン樹脂及びテフロン等の各種フレキシブル素材で形成された使い捨て指サックである。化学系の実験や医療現場等で汎用されている使い捨て手袋や各種指サックの素材を用いて構成することが可能である。
【００５０】
摘便用指サックを装着した状態で人差し指を覆う指サックの指先先端部には、指を延長する方向に当該指サック素材等で構成された突起物たる便掻き出し部を備えている。便掻き出し部は、摘便対象者の肛門内に挿入されるため、当該部位については、人体への影響がより少なくより安全な、指サック本体とは異なる素材で構成してもよい。
【００５１】
便掻き出し部は、人差し指先端とほぼ同等かやや細い幅で構成されることが好ましい。固すぎれば肛門内内壁を損傷する懸念もあることから、内壁を損傷させない程度の適度な柔らかさ、フレキシブル特性を有することが求められる。長さは指先から好ましくは３ｃｍ程度以内とすることが好ましい。
【００５２】
長すぎれば作業中に肛門内で曲折したり挿入作業が困難になったり、先端部の状況を把握しづらくなったりする等、作業性・安全性が悪化する懸念がある一方、短かすぎれば、必要かつ十分な便を掻き出せなくなる懸念が生じることから、素材特性との関係もあるが、１〜３ｃｍ程度とすることが好ましいと考えられる。
【００５３】
また、人差し指に替えてまたは人差し指とともに中指に対応する先端部位に便掻き出し部を備えてもよい。また指サックは右手用、左手用いずれかであってもよく両方であってもよい。作業者の利き手側の指サックを、本発明の摘便用指サックとすることがより的確な作業の観点から好ましい。
【００５４】
人差し指であっても中指であっても第一関節から先の長さは限られていることから、従来、仮に第一関節で適宜指を折り曲げて肛門内の便の掻き出し作業をしたとしても、指先にうまく引っかかる便量はそれほど多くはない。本発明により、指先の第一関節から先があたかも延長されたかのような指サック装着状態とできるので、さらに奥の便や内壁付近の便も掻き出し容易となる。
【００５５】
また、本発明の摘便用指サックは、好ましくは便掻き出し部が、摘便用指サックを装着した場合に、手のひら側が凹となるように湾曲形状を呈することを特徴とする。
【００５６】
これにより、当該凹部に便を引っかけて保持するように掻き出すことが可能となるので、より適切かつ安全な摘便作業を遂行できるものとなる。
【００５７】
また、本発明の摘便用指サックは、さらに好ましくは便掻き出し部が、その表面の少なくとも一部に便掻き出し用突起を備えることを特徴とする。
【００５８】
これにより、掻き出し用突起で絡め取るように便を掻き出すことが可能となるのでさらに確実かつ容易な掻き出し作業が可能となる。掻き出し用突起は、便掻き出し部に任意角度で凸設された複数の短い棒状のものとしても良いし、便掻き出し部の周りを一周する円盤状（リング状またはドーナツ状）の形状としても良く、その個数も任意である。突起高さが高すぎると肛門内内壁を損傷する懸念があることから、便掻き出し部表面の摩擦抵抗を大きくする程度であればさらに好ましく、例えば０．３ｍｍ程度以下の高さとすることができる。
【００５９】
また、本発明の摘便用指サックは、さらに好ましくは便掻き出し用突起が、便掻き出し動作の際に便の掻き出しを支援するように、掻き出し側が凹状の湾曲形状を呈することを特徴とする。
【００６０】
これにより、便掻き出し用突起の当該凹状部分に、便を引っかけて保持するように掻き出すことが可能となるので、より適切かつ安全な摘便作業を遂行できるものとなる。凹状部分は一つであってもよいし、ディンプル加工のように、やや小型のもの等を複数備えるものとしてもよい。大きさも任意の大きさとしてよく、凹部形状も適宜任意形状に構成してよい。例えば、スプーンまたは耳かきのように便を掻き出し容易とする凹形状とすることが好ましい。また、便掻き出し部が備える湾曲形状ではやや大きめの便を捕獲し、便掻き出し用突起の当該凹状部分ではやや小さめの便を捕獲できるようにしてもよい。
【００６１】
また、本発明の摘便用指サックは、さらに好ましくは便掻き出し部または便掻き出し用突起が、シリコン樹脂またはテフロン樹脂で形成されることを特徴とする。シリコン樹脂または／およびテフロン樹脂は、人体への影響が比較的少なく、かつ安全な素材であることが広く認識されており、手術現場を含めた医療現場等においても広く利用されている。このような素材を用いた便掻き出し部または便掻き出し用突起とすることにより、安全かつ適切な摘便作業を遂行可能となり、作業性が向上するとともに作業者へ安心感も付与できる。
【００６２】
また、本発明の摘便方法は、上述のいずれかに記載の摘便用手袋、または、上述のいずれかに記載の摘便用指サックを用いて、被摘便者に摘便作業を遂行する工程を有することを特徴とする。
【００６３】
これにより、容易にかつ安全にまた摘便者や被摘便者の心理的負担を軽減した摘便作業を遂行可能となる。大がかりな装置や大がかりな前準備をすることなく、その場でかつ短時間で誰でも安全かつ確実に摘便作業を遂行できる。便掻き出し部の硬度や強度がその素材（例えばシリコン樹脂）に依存して決まっているので、作業者の指先が直接腸内壁を押圧することを回避してこれに起因する腸内損傷も回避できる。便掻き出し部は、便を掻き出すのに適切な強度でありながら、一方で、便掻き出し部が腸内壁を押圧したり擦れたりしても、腸内壁を損傷しない程度の適度なフレキシブル特性を有する硬度・可撓性とできるので、熟練者でなくても比較的安全に摘便作業を遂行可能となる。
【００６４】
本発明の摘便用手袋と摘便用指サック及びそれらを用いた摘便方法は、上述の実施形態で説明した構成や方法に限定されるものではなく、当業者に自明な範囲でかつ本発明の技術思想の範囲内で適宜その構成を変更し溶接方法を変更することができる。
【産業上の利用可能性】
【００６５】
本発明は、各種老齢施設や病院、介護施設、グループホーム等で使用される摘便用手袋と摘便用指サック及びそれらを用いた摘便方法に好適である。
【符号の説明】
【００６６】
１０００・・摘便用手袋、１０１０・・便掻き出し部、１０２０・・手の指、３０００・・指サック、３０１０・・便掻き出し部、３０２０・・手の指。
【図１】
2018178283.tif 000003
【図２】
2018178283.tif 000004
【図３】
2018178283.tif 000005
【図４】
2018178283.tif 000006
【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
人差し指の指先に対応する部位に、前記人差し指を延長するように設けられた便掻き出し部を備えるか、または中指の指先に対応する部位に、前記中指を延長するように設けられた便掻き出し部を備え、
前記便掻き出し部は、その表面に、ヒゲ状またはイボ状の複数の便掻き出し用突起を備え、
前記便掻き出し用突起は、便掻き出し動作の際に便を保持するように、掻き出し側が凹状の便保持部を備え、
前記便掻き出し部及び前記便掻き出し用突起は、人体を傷付けない程度の軟度を有する可撓性部材または弾性部材で形成される
ことを特徴とする摘便用手袋。
【請求項２】
請求項１に記載の摘便用手袋において、
前記便掻き出し部は、少なくともその一部がシリコン樹脂またはテフロン樹脂で形成される
ことを特徴とする摘便用手袋。
【請求項３】
指先に対応する部位に、前記指先を延長するように設けられた便掻き出し部を備え、
前記便掻き出し部は、その表面に、ヒゲ状またはイボ状の複数の便掻き出し用突起を備え、
前記便掻き出し用突起は、便掻き出し動作の際に便を保持するように、掻き出し側が凹状の便保持部を備え、
前記便掻き出し部及び前記便掻き出し用突起は、人体を傷付けない程度の軟度を有する可撓性部材または弾性部材で形成される
ことを特徴とする摘便用指サック。
【請求項４】
請求項３に記載の摘便用指サックにおいて、
前記便掻き出し部は、少なくともその一部がシリコン樹脂またはテフロン樹脂で形成される
ことを特徴とする摘便用指サック。
【請求項５】
請求項１または請求項２に記載の摘便用手袋、または、請求項３または請求項４に記載の摘便用指サックを用いて、被摘便者に摘便作業を遂行する工程を有する
ことを特徴とする摘便方法。
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
人差し指の指先に対応する部位に、前記人差し指を延長するように設けられた便掻き出し部を備えるか、または中指の指先に対応する部位に、前記中指を延長するように設けられた便掻き出し部を備え、
前記便掻き出し部は、その表面に、便取り出し側が凹状に湾曲したヒゲ状の複数の便掻き出し用突起または便取り出し側の少なくとも一部が凹になるように湾曲したイボ状の複数の便掻き出し用突起、を備え、
前記便掻き出し部及び前記便掻き出し用突起は、人体を傷付けない程度の軟度を有する可撓性部材または弾性部材で形成される
ことを特徴とする摘便用手袋。
【請求項２】
請求項１に記載の摘便用手袋において、
前記便掻き出し部は、少なくともその一部がシリコン樹脂またはテフロン樹脂で形成される
ことを特徴とする摘便用手袋。
【請求項３】
指先に対応する部位に、前記指先を延長するように設けられた便掻き出し部を備え、
前記便掻き出し部は、その表面に、便取り出し側が凹状に湾曲したヒゲ状の複数の便掻き出し用突起または便取り出し側の少なくとも一部が凹になるように湾曲したイボ状の複数の便掻き出し用突起、を備え、
前記便掻き出し部及び前記便掻き出し用突起は、人体を傷付けない程度の軟度を有する可撓性部材または弾性部材で形成される
ことを特徴とする摘便用指サック。
【請求項４】
請求項３に記載の摘便用指サックにおいて、
前記便掻き出し部は、少なくともその一部がシリコン樹脂またはテフロン樹脂で形成される
ことを特徴とする摘便用指サック。
【請求項５】
請求項１または請求項２に記載の摘便用手袋、または、請求項３または請求項４に記載の摘便用指サックを用いて、被摘便者に摘便作業を遂行する工程を有する
ことを特徴とする摘便方法。